(57)【特許請求の範囲】
【請求項１】
消火位置から点火位置まで押し込むことによりガスバーナに点火し、点火後は燃焼位置まで後退し、その燃焼位置から再度押し込むことによりガスバーナが消火して上記消火位置に戻る点消火ボタンを備え、消火位置から点火位置まで押し込む途中でオンになる第１接点と、第１接点がオンになったまま点消火ボタンが点火位置まで到達するとオンになる第２接点とを有し、点消火ボタンが点火位置から燃焼位置まで戻ると、第１接点はオンのまま維持されるが第２接点はオフになり、さらに燃焼位置から消火位置に戻ると第１接点がオフになるように設定され、この第１接点がオンからオフになることによって点消火ボタンが消火位置まで戻ったことを報知する報知手段が作動するガスコンロ装置において、第１接点がオンになり、その後第２接点がオンになる前に第１接点がオフになる場合には、上記報知手段を作動させないことを特徴とするガスコンロ装置。
【請求項２】
電池を作動電源とする制御部を備え、上記第１接点がオンになると制御部への通電が開始され、第１接点がオフになると、制御部は所定の動作を行った後に自己の動作により制御部自らへの通電を停止するように構成されていることを特徴とする請求項１に記載のガスコンロ装置。
【発明の詳細な説明】
【技術分野】
【０００１】
本発明は、押し込み操作によってガスコンロの点消火を行う点消火ボタンと、この点消火ボタンの押し込み位置によってオンになる第１接点および第２接点を備えたガスコンロ装置に関する。
【背景技術】
【０００２】
電磁安全弁を備えたガス流量制御装置であって、点消火ボタンを押し込むと、弁軸が奥に移動し、その弁軸の先端で電磁安全弁の弁体を強制的に開弁させるものが知られている。このようなガス流量制御装置では、弁軸の途中にさらに元弁となる弁体を取り付け、点消火ボタンを押し込むと最初に元弁が開弁し、さらに押し込むことによって電磁安全弁が開弁するように構成されたものが知られている（例えば、特許文献１参照）。
【０００３】
このものでは、点消火ボタンの押し込み位置によってオンになる２個の接点が設けられており、そのうちの第１接点は元弁が開弁するタイミングでオンになり、残りの第２接点は電磁安全弁が開弁するタイミングでオンになるように設定されている。
【０００４】
したがって、第１接点がオンになり、さらに第２接点がオンになった時点でスパーカを作動させてガスバーナに点火を行い、その後、第１接点がオフになると、元弁が閉弁してガスバーナへのガスの供給が停止した状態、すなわちガスバーナが消火状態になったことを検知することができる。
【先行技術文献】
【特許文献】
【０００５】
【特許文献１】特開２０１０−１９６９３７号公報（段落００２５）
【発明の概要】
【発明が解決しようとする課題】
【０００６】
上記のガス流量制御装置を組み込んだガスコンロ装置では、消火操作によって第１接点がオフになり、ガスバーナへのガスの供給が停止され、ガスバーナが消火する状態になったことを使用者に報知するため、ブザーなどの報知手段を設けることが考えられる。
【０００７】
ところが、第１接点がオン状態からオフ状態になった際にブザーを鳴動させるように構成すると、例えば点消火ボタンに不用意に接触して意図せずに若干押し込んでしまったような場合に、先行してオンになる第１接点はオンになったが最後の点火位置まで押し込まれていないので第２接点はオンにならず、従ってガスバーナには点火されない場合にも、消火状態になったことを報知するブザーが鳴動してしまい、ガスコンロ装置の使い勝手が悪くなるという不具合が生じる。
【０００８】
そこで本発明は、上記の問題点に鑑み、不用意に点消火ボタンを押し込んでしまった場合に、ガスバーナに点火されなかったときにはブザーなどの報知手段が作動しないようにしたガスコンロ装置を提供することを課題とする。
【課題を解決するための手段】
【０００９】
上記課題を解決するために本発明によるガスコンロ装置は、消火位置から点火位置まで押し込むことによりガスバーナに点火し、点火後は燃焼位置まで後退し、その燃焼位置から再度押し込むことによりガスバーナが消火して上記消火位置に戻る点消火ボタンを備え、消火位置から点火位置まで押し込む途中でオンになる第１接点と、第１接点がオンになったまま点消火ボタンが点火位置まで到達するとオンになる第２接点とを有し、点消火ボタンが点火位置から燃焼位置まで戻ると、第１接点はオンのまま維持されるが第２接点はオフになり、さらに燃焼位置から消火位置に戻ると第１接点がオフになるように設定され、この第１接点がオンからオフになることによって点消火ボタンが消火位置まで戻ったことを報知する報知手段が作動するガスコンロ装置において、第１接点がオンになり、その後第２接点がオンになる前に第１接点がオフになる場合には、上記報知手段を作動させないことを特徴とする。
【００１０】
点消火ボタンが点火位置まで押し込まれていない場合にはガスバーナが点火しておらず、従って、そのような場合には第１接点がオンからオフになったとしてもガスバーナが点火状態から消火状態に変わったわけではないので、報知手段を作動させないようにした。
【００１１】
なお、電池を作動電源とする制御部を備え、上記第１接点がオンになると制御部への通電が開始され、第１接点がオフになると、制御部は所定の動作を行った後に自己の動作により制御部自らへの通電を停止するように構成されたガスコンロ装置に適用することが考えられる。
【発明の効果】
【００１２】
以上の説明から明らかなように、本発明は、第２接点がオンになる前に第１接点がオフになった場合には、例え第１接点がオンからオフに変わっても報知手段を作動させないので、意図せず点消火ボタンを途中まで押し込んでしまったような場合に報知手段が作動せず、ガスコンロ装置の使い勝手がよくなる。
【図面の簡単な説明】
【００１３】
【図１】本発明によるガスコンロを正面から見た斜視図
【図２】ガスコンロ内の配管状態を示す図
【図３】火力調節装置の斜視図
【図４】位置センサであるマイクロスイッチの作動状態を示す図
【図５】第１接点および第２接点のオンオフによる動作を示すフロー図
【発明を実施するための形態】
【００１４】
図１を参照して、１は本発明によるガスコンロ装置の一例である。このガスコンロ装置１の上面にはガラス製の天板１１が設けられており、その天板１１には３個のガスバーナ１１ａ、１１ｂ、１１ｃが設けられている。一方、このガスコンロ１の前面パネル１２には各ガスバーナ１１ａ、１１ｂ、１１ｃの点消火操作及び火力調節操作を行うための火力調節装置１３ａ、１３ｂ、１３ｃが設けられている。また、前面パネル１２の略中央にはグリル庫１４が設けられており、グリル庫１４内には上火バーナ１４ａと下火バーナ１４ｂとが設置されている。そして、上火バーナ１４ａと下火バーナ１４ｂの点消火及び火力調節は火力調節装置１５によって行われる。
【００１５】
図２を参照して、本実施の形態では、ガスの供給管路は４本に並列に分岐され、その分岐された供給管路の各々に火力調節装置１３ａ、１３ｂ、１３ｃ，１５が設けられている。そのうちの火力調節装置１３ａを例に説明すると、火力調節装置１３ａ内には点消火を行うための開閉弁部２と火力調節を行うための流量調節部３とを備えている。
【００１６】
開閉弁部２内には手動操作により開弁される元弁２１ａと電磁安全弁の弁体２２ａとが直列に設けられている。一方、流量調節部３には電動アクチュエータとしてモータ３１が連結されており、モータ３１を駆動させることにより流量を増減するように構成されている。なお、火力調節装置１３ｂ、１３ｃは共に火力調節装置１３ａと同じ構造であるが、火力調節装置１５は開閉弁部２は同じ構造であるものの流量調節部３の構造が他のものと相違する。
【００１７】
火力調節装置１５の流量調節部３は並列な２系統に分岐され、その各々に電磁力によって開閉する開閉弁１５ａ、１５ｂが設けられ、かつ、両開閉弁１５ａ、１５ｂをバイパスするオリフィス１６が設けられている。従って、例えば開閉弁１５ａが開弁すれば上火バーナ１４ａの火力は強火になり、開閉弁１５ａが閉弁すればオリフィス１６を通るガスによって弱火になる。
【００１８】
図３および図４を参照して、引き続き火力調節装置１３ａを例に、火力調節装置１３ａの構造を説明する。
【００１９】
４は操作つまみであり、点消火時に押し込まれ、また火力調節時には外周面をつままれて回動されるものである。操作つまみ４は常に手前側に向かって付勢されている。操作つまみ４が消火位置から付勢力に抗して押し込まれると、角筒状のガイド部材５内に収納されている部材に設けられたドッグ６が、この部材と共に押されて奥側に移動する。そして、ドッグ６が設けられている部材は奥に向かって移動することにより、開閉弁部２内に収納されている元弁と電磁安全弁の弁体とを強制的に開弁させて、同じく電磁安全弁内に収納されている電磁石にその弁体を押接させる。
【００２０】
図示しない制御部からその電磁石に直流電力が供給されると電磁石は励磁して弁体を開弁状態に吸着保持する。その状態で操作つまみ４に対する押し込み力を解除すると、操作つまみ４は上記付勢力によって手前側の火力調節位置まで突出する。消火する際には、操作つまみ４を消火位置を越えるまで一旦押し込んで押し込み力を解除すると、元弁と電磁安全弁とが閉弁されるとともに操作つまみ４は消火位置まで戻ってその位置で保持される。
【００２１】
操作つまみ４が火力調節位置まで突出している状態で操作つまみ４を回動すると、ギヤトレインを介して回転センサであるロータリーエンコーダ４１の回転軸が回転して、操作つまみ４の回動量に比例したパルス信号を上記制御部に出力する。制御部はこのパルス信号を受信すると、火力調節部３のモータ３１を駆動して、流量を調節するように構成されている。
【００２２】
ガイド部材５の正面から見て左側面にはドッグ６の前後位置によってオンオフする２つの接点を内蔵したマイクロスイッチ５１が取り付けられている。このマイクロスイッチ５１には２個の接点ＳＷ１，ＳＷ２が設けられている。第１接点ＳＷ１は制御部への通電を開始する位置を検知するための位置センサで有り、第２接点ＳＷ２は点火位置まで押し込まれていることを検知する位置センサである。
【００２３】
図４に示すように、ドッグ６が手前から奥に向かって移動すると、最初に第１接点ＳＷ１がＯＮになる。さらに操作つまみ４を押し込んで操作つまみ４が点火位置に到達すると、第２接点ＳＷ２がオンする。なお、点火位置で操作つまみ４に対する押し込み力を解除すると、上述のように操作つまみ４は火力調節位置まで手前側に後退して突出するが、ドッグ６が形成されている部材は図示しないストッパ機構によって、第１接点ＳＷ１がオン状態となる位置まで戻った状態で保持される。
【００２４】
図に示すように、マイクロスイッチ５１はガイド部材５の側面に形成された３本の爪５ａで抱き込まれるようにして固定されている。なお、２本の突起５ｂがマイクロスイッチ５１に形成されている取り付け穴に挿通されることによりマイクロスイッチ５１の位置決めを行っている。従って、マイクロスイッチ５１をガイド部材５に取り付ける際にネジを使用していない。
【００２５】
操作つまみ４が消火位置にある状態ではドッグ６はプランジャ部５１ａを押し下げていないので、マイクロスイッチ５１に内蔵されている第１接点ＳＷ１，第２ＳＷ２は共にオフの状態になっている（図４（ａ））。この状態から、操作つまみ４が押し込まれると、ドッグ６は後方、すなわち図４では左側に移動するので、ドッグ６は（ｂ）に示すように、プランジャ部５１ａを押し下げ、第１接点ＳＷ１をオンにする。この時点では、第２接点ＳＷ２はオフのままである。
【００２６】
さらに操作つまみ４を点火位置まで押し込むと、（ｃ）に示すように、ドッグ６はプランジャ部５１ａをさらに押し込み、第２接点ＳＷ２をオンにする。
【００２７】
上記第１接点ＳＷ１がＯＮになると、図外の制御部に通電が開始される。本実施の形態のガスコンロ１は作動用の電源として乾電池を内蔵している。すべての操作つまみ４が消火位置にある状態では、制御部を作動させる必要がないので、制御部への通電は停止している。そして、いずれかの操作つまみ４が点火すべく押し込まれると、点火位置に到達する前に、図４(ｂ)に示すように、第１接点ＳＷ１がオンとなって制御部に通電が開始され、続いて第２接点ＳＷ２がＯＮになることによって、その操作つまみ４が点火位置まで押し込まれたことを制御部が検知することになる。なお、既にいずれかの操作つまみ４が火力調節位置に有り、制御部に通電されている状態で他の操作つまみ４が押し込まれ、新たに第１接点ＳＷ１がオンになった場合、制御部には既に通電されているので、制御部は新たに第１接点ＳＷ１がオンになったことを検知する。
【００２８】
図５を参照して、上記構成で、点火操作がされ、上述のように第１接点ＳＷ１がオンになって制御部への通電が開始されると、制御部は直ちに電磁安全弁（ＳＶ）の電磁石へ保持電流の通電を開始する（Ｓ１）。そして、続けて操作つまみ４が点火位置まで押し込まれて第２接点ＳＷ２がオンになるのを待機するが（Ｓ２）、第２接点ＳＷ２がオンになる前に第１接点ＳＷ１がオフになると（Ｓ３）、電磁石への保持電流を停止する。そして制御部はブザーなどの報知手段を作動させること無く所定の処理を行った後、自らへの通電を停止する。
【００２９】
これに対して、第２接点ＳＷ２がオンになると、操作つまみ４が点火位置まで押し込まれたものとして、イグナイタを作動させると共に、ブザーを作動させて点火時の報知音を発音する。なお、このときの報知音は，例えば単音を２回続けて発音する。
【００３０】
ガスバーナに点火したことを確認するが（Ｓ６）、点火が確認されるまでに消火操作がされて第１接点ＳＷ１がオフになると（Ｓ７）、電磁石への通電を停止し、イグナイタを停止させ（Ｓ８）、さらに消火時の報知音、例えば１回の長音を発音して（Ｓ９）、制御部は所定の処理を行った後、自らへの通電を停止する。
【００３１】
これに対して、点火確認されるまでに第１接点ＳＷ１がオフにならなければ、イグナイタを停止させ（Ｓ１０）、点火を完了させる。
【００３２】
点火完了後は火力調節を行って調理をするが、消火操作がされて第１接点ＳＷ１がオフになると（Ｓ１１）、上述と同じく、電磁石への通電を停止し、さらに消火時の報知音を発音して（Ｓ９）、制御部は所定の処理を行った後、自らへの通電を停止する。
【００３３】
上記実施の形態では、１つの操作つまみに点消火機能と火力調節機能の双方の機能を具備させたが、点消火機能は操作つまみで行い、火力調節機能は、例えば、タクタイルスイッチ等別個の操作部で行うようにしてもよい。
【００３４】
なお、本発明は上記した形態に限定されるものではなく、本発明の要旨を逸脱しない範囲内において種々の変更を加えてもかまわない。
【符号の説明】
【００３５】
１ ガスコンロ
２ 開閉弁部
３ 流量調節部
４ 操作つまみ
５ ガイド部材
１３ａ 火力調節装置
１３ｂ 火力調節装置
１５ 火力調節装置
３１ モータ
４１ ロータリーエンコーダ
５１ マイクロスイッチ
６ ドッグ
ＳＷ１ 第１接点
ＳＷ２ 第２接点
【図１】
0006000312.tif 000002
【図２】
0006000312.tif 000003
【図３】
0006000312.tif 000004
【図４】
0006000312.tif 000005
【図５】
0006000312.tif 000006